(57)【要約】【課題】本発明の課題は、活性種を生成して室内への給気を浄化するビルトインの脱臭ユニットにおいて、容易にメンテナンスできる脱臭ユニットを提供することにある。【解決手段】脱臭ユニット１は、空気清浄エレメント３を保持する保持部材１７の着脱が可能な脱臭ユニット１であって、２つの第１ガイド部材２１、２２と、先端掛止部１９ｃと、拘束部１９ｆとを備える。２つの第１ガイド部材２１、２２は、保持部材１７の上端および下端をスライドさせることができ、その断面形状がＬ字状である。先端掛止部は、第１ガイド部材の先端まで達した保持部材の先端部１７ｃを、第１ガイド部材の先端側から押さえる。拘束部は、先端掛止部に押さえられた部位１７ｅを中心として回動して第１ガイド部材に沿う状態となった保持部材の後端部１７ｄを拘束可能である。【選択図】図５
2010137018.tif 000002
【特許請求の範囲】
【請求項１】
空気清浄エレメント（３）を保持する保持部体（１７）の着脱が可能な脱臭ユニット（１）であって、
前記保持部材の上部および下部をスライドさせることができる少なくとも一方の断面形状がＬ字状の２つの第１ガイド部材（２１、２２）と、
前記第１ガイド部材の先端まで達した前記保持部材の先端部（１７ｃ）を、前記第１ガイド部材の先端側から押さえる先端掛止部（１９ｃ）と、
前記先端掛止部に押さえられた部位（１７ｅ）を中心として回動して前記第１ガイド部材に沿う状態となった前記保持部材の後端部（１７ｄ）を拘束可能な拘束部（１９ｆ）と、
を備えた脱臭ユニット（１）。
【請求項２】
前記２つの第１ガイド部材の一方は、前記保持部材の上部をスライドさせることができる上部ガイドであり、
前記２つの第１ガイド部材の他方は、前記保持部材の下部をスライドさせることができる下部ガイドであり、
前記上部ガイドは、断面形状がＬ字状であり、前記保持部材の上部の側面および上面をスライドさせることができ、
前記下部ガイドは、断面形状がＬ字状であり、前記保持部材の下部の側面および下面をスライドさせることができる、
請求項１に記載の脱臭ユニット（１）。
【請求項３】
前記２つの第１ガイド部材の一方は、前記保持部材の上部をスライドさせることができる上部ガイドであり、
前記２つの第１ガイド部材の他方は、前記保持部材の下部をスライドさせることができる下部ガイドであり、
前記上部ガイドは、断面形状がＩ字状であり、前記保持部材の上部の側面をスライドさせることができ、
前記下部ガイドは、断面形状がＬ字状であり、前記保持部材の下部の側面および下面をスライドさせることができる、
請求項１に記載の脱臭ユニット（１）。
【請求項４】
前記第１ガイド部材と前記先端掛止部と前記拘束部とを内部に有する略直方体形状の本体ケーシング（１０）をさらに備え、
２つの前記第１ガイド部材は、前記本体ケーシングの上面（１１）および下面（１２）に沿って配置され、互いに略平行に、かつ、前記本体ケーシングの所定の２つの対向する側面（１５、１６）に対して傾斜して配置される、
請求項１から３のいずれかに記載の脱臭ユニット（１）。
【請求項５】
前記空気清浄エレメントは、臭気分子および有害ガス成分の少なくとも一つを分解または不活化する活性種を生成する活性種生成部（３）である、
請求項１から４のいずれかに記載の脱臭ユニット（１）。
【請求項６】
前記本体ケーシングの内部に配置され、臭気分子、塵、および埃の少なくとも１つを吸着可能な脱臭／集塵フィルタ（２）をさらに備える、
請求項１から５のいずれかに記載の脱臭ユニット（１）。
【請求項７】
前記脱臭／集塵フィルタの上端および下端をスライドさせることができる断面形状が略コの字状の２つの第２ガイド部材（２３、２４）をさらに備え、
２つの前記第２ガイド部材は、前記本体ケーシングの上面および下面に沿って配置され、互いに略平行に、かつ、前記所定の２つの対向する側面に対して略平行に配置される、
請求項６に記載の脱臭ユニット（１）。
【請求項８】
前記本体ケーシングは、前記所定の２つの対向する側面のうちで一方の側面（１５）に開口され内部に空気を導入できる気体導入口（１５ａ）と、前記所定の２つの対向する側面のうちで他方の側面（１６）に開口され内部の空気を排出できる気体排出口（１６ａ）とを有し、
前記脱臭／集塵フィルタは、前記空気清浄エレメントの前記気体導入口から前記気体排出口への気流の流れ方向下流側に、配置される、
請求項６または７に記載の脱臭ユニット（１）。
【発明の詳細な説明】
【技術分野】
【０００１】
本発明は、活性種を生成して、臭気分子や有害ガス成分などを分解する活性種生成装置を有する脱臭ユニットに関する。
【背景技術】
【０００２】
従来、特許文献１の技術のように、ストリーマ放電などの放電を行うことによって、イオンまたはオゾンなどの活性種を生成して、通過する空気を殺菌、脱臭、有害物質除去などの浄化処理を行う装置がある。
【０００３】
そして、特許文献２の技術のように、空気清浄機単体に特許文献１の技術を利用しているものがある。
【特許文献１】特開２００４−３５０８９０号公報
【特許文献２】特開２００８−３６４６６号公報
【発明の開示】
【発明が解決しようとする課題】
【０００４】
室内の空気を浄化する手段として、特許文献２のように室内に空気清浄機を導入するだけでなく、例えば、ダクトに特許文献１の装置をビルトインで設置することにより、室内に導入される空気を浄化することも考えられる。しかしながら、ダクトから室内への給気に対する浄化処理に関しては、なんら提案されておらず、さらに、このようなビルトインで設置される脱臭ユニットにおいて、活性種を生成する活性種生成部のメンテナンスや集塵フィルタのメンテナンスの方法についても、なんら提案されていない。
【０００５】
本発明の課題は、活性種を生成して、室内への給気を浄化するビルトインの脱臭ユニットにおいて、容易にメンテナンスすることが可能な脱臭ユニットを提供することにある。
【課題を解決するための手段】
【０００６】
第１発明に係る脱臭ユニットは、空気清浄エレメントを保持する保持部材の着脱が可能な脱臭ユニットであって、２つの第１ガイド部材と、先端掛止部と、拘束部とを備える。２つの第１ガイド部材は、保持部材の上部および下部をスライドさせることができ、少なくとも一方の断面形状がＬ字状である。先端掛止部は、第１ガイド部材の先端まで達した保持部材の先端部を、第１ガイド部材の先端側から押さえる。拘束部は、先端掛止部に押さえられた部位を中心として回動して第１ガイド部材に沿う状態となった保持部材の後端部を拘束可能である。
【０００７】
本発明の脱臭ユニットでは、空気清浄エレメントを保持する保持部材を、第１ガイド部材に沿わせるように配置した状態で、先端掛止部と拘束部とにより挟み込むことにより固定している。このときに、保持部材は、その先端を第１ガイド部材の先端側から先端掛止部により押さえられて掛止されており、先端掛止部を中心に回動しないように保持部材の後端部を拘束部により固定されている。
【０００８】
したがって、保持部材を、第１ガイド部材にスライドさせて、その先端を先端掛止部まで移動させて先端掛止部に掛止させて、先端掛止部を中心に保持部材の後端部を拘束部まで回動させて拘束部に固定させることにより、固定することができる。また、その逆の手順により、保持部材を離脱させることができる。
【０００９】
第２発明に係る脱臭ユニットは、第１発明に係る脱臭ユニットであって、２つの第１ガイド部材の一方は、保持部材の上部をスライドさせることができる上部ガイドである。２つの第１ガイド部材の他方は、保持部材の下部をスライドさせることができる下部ガイドである。そして、上部ガイドは、断面形状がＬ字状であり、保持部材の上部の側面および上面をスライドさせることができる。また、下部ガイドは、断面形状がＬ字状であり、保持部材の下部の側面および下面をスライドさせることができる。
【００１０】
したがって、本発明の脱臭ユニットでは、上部ガイドと下部ガイドとが、保持部材の上端と保持部材の下端と保持部材の一方の側面とを摺動自在な状態にしており、保持部材の先端を容易に先端掛止部に導くことができる。
【００１１】
第３発明に係る脱臭ユニットは、第１発明に係る脱臭ユニットであって、２つの第１ガイド部材の一方は、保持部材の上部をスライドさせることができる上部ガイドである。２つの第１ガイド部材の他方は、保持部材の下部をスライドさせることができる下部ガイドである。そして、上部ガイドは、断面形状がＩ字状であり、保持部材の上部の側面をスライドさせることができる。また、下部ガイドは、断面形状がＬ字状であり、保持部材の下部の側面および下面をスライドさせることができる。
【００１２】
したがって、本発明の脱臭ユニットでは、保持部材の下端を下部ガイドが摺動可能な状態に、保持部材の一方の側面を上部ガイドと下部ガイドとが摺動可能な状態にしており、保持部材の先端を容易に先端掛止部に導くことができる。
【００１３】
第４発明に係る脱臭ユニットは、第１発明から第３発明のいずれかに係る脱臭ユニットであって、本体ケーシングをさらに備える。本体ケーシングは、第１ガイド部材と先端掛止部と拘束部とを内部に有し、略直方体形状である。２つの第１ガイド部材は、本体ケーシングの上面および下面に沿って配置され、互いに略平行に、かつ、本体ケーシングの所定の２つの対向する側面に対して傾斜して配置される。
【００１４】
本発明の脱臭ユニットでは、本体ケーシングの内部に第１ガイド部材と先端掛止部と拘束部とを有している。このため、保持部材は、本体ケーシングの内部に固定されることになる。また、２つの第１ガイド部材は、本体ケーシングの上面および下面に沿って配置され、互いに略平行に、かつ、本体ケーシングの所定の２つの対向する側面に対して傾斜して配置される。したがって、保持部材は、２つの第１ガイド部材に沿うような形状となるため、本体ケーシングの上面および下面に対して垂直な面（垂直面とする）を有することになる。そして、保持部材の垂直面を２つの第１ガイド部材に対して沿わせるように挿入することにより、保持部材を２つの第１ガイド部材に沿わせるように配置することができる。
【００１５】
また、２つの第１ガイド部材は、本体ケーシングの所定の２つの対向する側面に対して傾斜して配置されているため、保持部材も本体ケーシングの所定の２つの対向する側面に対して傾斜して配置されることになる。そして、保持部材を本体ケーシングに配置する際には、保持部材の先端（垂直面側の先端）が常に傾斜している２つの第１ガイド部材に対して接した状態で、保持部材の先端を本体ケーシングの奥に挿入させると、本発明のように２つの第１ガイド部材が斜めに配置されている場合であっても、本体ケーシングに対して真っ直ぐ（本体ケーシングの所定の２つの対向する側面に平行）になるような方向の力を保持部材にかけるのみで保持部材を本体ケーシングの内部に挿入させることにより２つのガイド部材に沿うように保持部材を配置することができる。このため、保持部材を本体ケーシングの所定の２つの対向する側面に対して傾斜して配置させる場合であっても、容易に保持部材を配置させることができる。このように、保持部材を容易に配置させることができることは、天井裏に設置されるなどであって、光が十分に届かずに本体ケーシングの内部を十分に視認することが難しい状況である場合に、特に有効である。
【００１６】
第５発明に係る脱臭ユニットは、第１発明から第４発明のいずれかに係る脱臭ユニットであって、空気清浄エレメントは、臭気分子および有害ガス成分の少なくとも一つを分解または不活化する活性種を生成する活性種生成部である。
【００１７】
本発明の脱臭ユニットでは、活性種生成部が本体ケーシングの所定の２つの対向する側面に対して傾斜して配置されることになる。
【００１８】
したがって、本体ケーシングを通過する気流に対してより多くの活性種を付与することができ、より効率的に気流に含まれる臭気分子および有害ガス成分の少なくとも一つを分解または不活化させることができる。
【００１９】
第６発明に係る脱臭ユニットは、第１発明から第５発明のいずれかに係る脱臭ユニットであって、脱臭／集塵フィルタをさらに備える。脱臭／集塵フィルタは、本体ケーシングの内部に配置され、臭気分子、塵、および埃の少なくとも１つを吸着可能である。
【００２０】
本発明に係る脱臭ユニットでは、本体ケーシングに流れ込んでくる気体に含まれる臭気分子および有害ガス成分の少なくとも一つを、一旦、脱臭／集塵フィルタに吸着させている。そして、脱臭／集塵フィルタに吸着させた臭気分子および有害ガス成分の少なくとも一つに対して、活性種生成部から放出される活性種をふれさせている。
【００２１】
したがって、本体ケーシングに流れ込んでくる気体に含まれる臭気分子および有害ガス成分の少なくとも一つに対して活性種を付与して分解または不活化させるだけでなく、脱臭／集塵フィルタに一旦吸着させた臭気分子および有害ガス成分の少なくとも一つに対しても活性種の効果を及ぼすことができる。このように、脱臭／集塵フィルタに臭気分子および有害ガス成分の少なくとも一つを吸着させることにより、気流に直接活性種を放出する場合よりも、活性種と臭気分子および有害ガス成分の少なくとも一つとを長い間ふれさせることができる。このため、より効果的に気体に含まれる臭気分子および有害ガス成分の少なくとも一つを分解または不活化させることができる。
【００２２】
第７発明に係る脱臭ユニットは、第６発明に係る脱臭ユニットであって、２つの第２ガイド部材をさらに備える。２つの第２ガイド部材は、脱臭／集塵フィルタの上端および下端をスライドさせることができる断面形状が略コの字状である。２つの第２ガイド部材は、本体ケーシングの上面および下面に沿って配置され、互いに略平行に、かつ、所定の２つの対向する側面に対して略平行に配置される。
【００２３】
本発明に係る脱臭ニットでは、脱臭／集塵フィルタを本体ケーシングの所定の２つの対向する側面に対して略平行に導くことができる第２ガイド部材をさらに備えている。
【００２４】
このため、脱臭／集塵フィルタを容易に、本体ケーシングの所定の２つの対向する側面に対して略平行な状態に設置することができる。
【００２５】
第８発明に係る脱臭ユニットは、第６発明または第７発明に係る脱臭ユニットであって、本体ケーシングは、気体導入口と、気体排出口とを有する。気体導入口は、所定の２つの対向する側面のうちで一方の側面に開口され内部に空気を導入できる。気体排出口は、所定の２つの対向する側面のうちで他方の側面に開口され内部の空気を排出できる。脱臭／集塵フィルタは、空気清浄エレメントの気体導入口から気体排出口への気流の流れ方向下流側に、配置される。
【００２６】
本発明に係る脱臭ユニットでは、略直方体形状の本体ケーシングの向かい合わせになっている任意の２つの面それぞれに、本体ケーシング内に気体を導入できる気体導入口と、本体ケーシング内の気体を排出できる気体排出口とが形成されている。そして、気体導入口（の中心）と気体排出口（の中心）とを結ぶ直線が、気体導入口または気体排出口が形成される面に略垂直な面に対して傾斜するように気体導入口と気体排出口とが形成されている。また、本体ケーシングの内部には、臭気分子および有害ガス成分の少なくとも一つを分解または不活化する活性種を生成する活性種生成部が、気体導入口または気体排出口が形成される面に対して傾斜して配置されている。
【００２７】
したがって、本体ケーシングに対して傾斜した方向に気流を起こすことができ、気流が通過する流路断面積を大きくとることができる。そして、活性種生成部を気体導入口または気体排出口が形成される面に対して傾斜して配置することにより、大きくなった気流の流路断面積に対して活性種生成部を気流の流路断面積に適した大きさに大きくした状態で配置することができる。これにより、本体ケーシングを通過する気流に対してより多くの活性種を付与することができ、より効率的に気流に含まれる臭気分子および有害ガス成分の少なくとも一つを分解または不活化させることができる。
【発明の効果】
【００２８】
第１発明に係る脱臭ユニットでは、保持部材を、第１ガイド部材にスライドさせて、その先端を先端掛止部まで移動させて先端掛止部に掛止させて、先端掛止部を中心に保持部材の後端部を拘束部まで回動させて拘束部に固定させることにより、固定することができる。また、その逆の手順により、保持部材を離脱させることができる。
【００２９】
第２発明に係る脱臭ユニットでは、上部ガイドと下部ガイドとが、保持部材の上端と保持部材の下端と保持部材の一方の側面とを摺動自在な状態にしており、保持部材の先端を容易に先端掛止部に導くことができる。
【００３０】
第３発明に係る脱臭ユニットでは、保持部材の下端を下部ガイドが摺動可能な状態に、保持部材の一方の側面を上部ガイドと下部ガイドとが摺動可能な状態にしており、保持部材の先端を容易に先端掛止部に導くことができる。
【００３１】
第４発明に係る脱臭ユニットでは、保持部材を本体ケーシングの所定の２つの対向する側面に対して傾斜して配置させる場合であっても、容易に保持部材を配置させることができる。このように、保持部材を容易に配置させることができることは、天井裏に設置されるなどであって、光が十分に届かずに本体ケーシングの内部を十分に視認することが難しい状況である場合に、特に有効である。
【００３２】
第５発明に係る脱臭ユニットでは、本体ケーシングを通過する気流に対してより多くの活性種を付与することができ、より効率的に気流に含まれる臭気分子および有害ガス成分の少なくとも一つを分解または不活化させることができる。
【００３３】
第６発明に係る脱臭ユニットでは、本体ケーシングに流れ込んでくる気体に含まれる臭気分子および有害ガス成分の少なくとも一つに対して活性種を付与して分解または不活化させるだけでなく、脱臭／集塵フィルタに一旦吸着させた臭気分子および有害ガス成分の少なくとも一つに対しても活性種の効果を及ぼすことができる。このように、脱臭／集塵フィルタに臭気分子および有害ガス成分の少なくとも一つを吸着させることにより、気流に直接活性種を放出する場合よりも、活性種と臭気分子および有害ガス成分の少なくとも一つとを長い間ふれさせることができる。このため、より効果的に気体に含まれる臭気分子および有害ガス成分の少なくとも一つを分解または不活化させることができる。
【００３４】
第７発明に係る脱臭ユニットでは、脱臭／集塵フィルタを容易に、本体ケーシングの所定の２つの対向する側面に対して略平行な状態に設置することができる。
【００３５】
第８発明に係る脱臭ユニットでは、本体ケーシングに対して傾斜した方向に気流を起こすことができ、気流が通過する流路断面積を大きくとることができる。そして、活性種生成部を気体導入口または気体排出口が形成される面に対して傾斜して配置することにより、大きくなった気流の流路断面積に対して活性種生成部を気流の流路断面積に適した大きさに大きくした状態で配置することができる。これにより、本体ケーシングを通過する気流に対してより多くの活性種を付与することができ、より効率的に気流に含まれる臭気分子および有害ガス成分の少なくとも一つを分解または不活化させることができる。
【発明を実施するための最良の形態】
【００３６】
以下図面を参照しながら、本発明の一実施形態について説明する。なお、以下の実施形態は、本発明の具体例であって、本発明の技術的範囲を限定するものではない。
【００３７】
＜脱臭ユニット＞
本発明の第一実施形態に係る脱臭ユニット１は、室内の天井裏に設置される給気ユニットの給気側にダクトを介して設置され、給気ユニットから送られる空気の脱臭、浄化を行う。脱臭ユニット１は、主に、本体ケーシング１０と、臭気分子、塵、および埃を吸着する光触媒フィルタ２と、ストリーマ放電ユニット３とを備える。
【００３８】
（本体ケーシング）
図１は、本発明の脱臭ユニット１の正面側から視た本体ケーシング１０の外観斜視図である。本体ケーシング１０は、天板１１、底板１２、正面側パネル１３、背面側パネル１４、右側面パネル１５、および左側面パネル１６によって略直方体形状に形成されている。
【００３９】
正面側パネル１３には、脱臭ユニット１に備えられる光触媒フィルタ２と、ストリーマ放電ユニット３とを取り出したり、挿入したりすることができるメンテナンス開口１３ａが開けられている。そして、正面側パネル１３には、メンテナンス開口１３ａを塞ぐメンテナンスカバー１３ｂが設けられる。メンテナンスカバー１３ｂは、メンテナンス開口１３ａを完全に覆い塞ぐことができ、正面側パネル１３のメンテナンス開口１３ａ左側に設けられた金具にその左端を引っかけて、右端をビス留めされることにより固定されている。したがって、メンテナンス作業者などのユーザは、脱臭ユニット１をメンテナンスする際に、メンテナンスカバー１３ｂの右端のビスを外すことにより、メンテナンスカバー１３ｂを外すことができ、メンテナンス開口１３ａから光触媒フィルタ２やストリーマ放電ユニット３を取り出してメンテナンスすることができる。
【００４０】
右側面パネル１５は、給気ユニットとダクトを介して接続可能な吸込開口１５ａを有している。吸込開口１５ａは、接続される給気ユニットから送られる空気を本体ケーシング１０に取り入れることが可能である。そして、吸込開口１５ａは、右側面パネル１５の正面視において中心よりも左側に開口されている。
【００４１】
左側面パネル１６は、本体ケーシング１０内部を通過した空気を、吐き出す吐出開口１６ａを有している。吐出開口１６ａは、ダクトを介して室内の天井に設けられる天井吹出口に接続されている。すなわち、給気ユニットから送られて脱臭ユニット１により脱臭および浄化された空気は、吐出開口１６ａに接続されたダクトを介して天井吹出口から室内へ吹き出されることになる。そして、吐出開口１６ａは、左側面パネル１６の正面視において中心よりも左側に開口されている。
【００４２】
このように、右側面パネル１５に開けられている吸込開口１５ａが右側面パネル１５の正面視において中心よりも左側に開口されており、左側面パネル１６に開けられている吐出開口１６ａが左側面パネル１６の正面視において中心よりも左側に開口されているため、本体ケーシング１０の内部を通過する空気の流路は、図４の破線の矢印ように、正面側パネル１３および背面側パネル１４に対して傾斜して、本体ケーシング１０の上面視において吸込開口１５ａの中心と吐出開口１６ａの中心とを結ぶ線Ｌ１に沿うようになる。
【００４３】
（光触媒フィルタ）
光触媒フィルタ２は、気流の流れ方向の厚みが約１５０ｍｍの直方体形状でハニカム形状に形成されており、左側面パネル１６の内側に左側面パネルに沿うように配置されている(図２参照)。光触媒フィルタ２は、臭気分子や塵埃などを吸着する。光触媒フィルタ２は、チタンアパタイトを担持させたＰＰの繊維から形成されている。なお、チタンアパタイトとは、カルシウムヒドロキシアパタイトの一部のカルシウム原子がイオン交換などの手法によってチタン原子に置換されたアパタイトである。このチタンアパタイトは、塵埃などに含まれるウィルスやカビ菌、細菌などを特異的に吸着する性質を有する。そして、このチタンアパタイトは、後述するストリーマ放電ユニット３から供給される活性種により光触媒機能が活性化され、ウィルスやカビ菌、細菌などを不活化または死滅させる。
【００４４】
また、光触媒フィルタ２は、本体ケーシング１０に対して、メンテナンス開口１３ａから真っ直ぐに挿入することが可能なように、断面形状がコの字型のガイド部材２３、２４が天板１１および底板１２の左側面パネル１６側に配置されている。なお、ガイド部材２３、２４は、天板１１に配置される上部ガイド２３と、底板１２に配置される下部ガイド２４とに分けられ、互いに対向するように配置される。すなわち、上部ガイド２３は、コの字の面がない部位を下向きに、下部ガイド２４はコの字の面がない部位を上向きに配置される。
【００４５】
（ストリーマ放電ユニット）
ストリーマ放電ユニット３は、略直方体形状であって、放電ユニット取付枠１７の上部と下部とに２つ取り付けられる。放電ユニット取付枠１７は、水平方向に延びる直方体形状の枠上部１７ａおよび枠下部１７ｂと、枠上部１７ａと枠下部１７ｂとを所定間隔を上下方向に開けて接続する枠側部１７ｃ、１７ｄとにより構成されている（図２参照）。背面側パネル１４側に配置される枠側部１７ｃには、後述する放電ユニット設置部材１９に掛止されるための掛止孔１７ｅが設けられている。
【００４６】
そして、２つのストリーマ放電ユニット３は、１つが放電ユニット取付枠１７の上部であって枠上部１７ａよりも下方に枠上部１７ａに沿って取り付けられ、もう１つが放電ユニット取付枠１７の下部であって枠下部１７ｂよりも上方に枠下部１７ｂに沿って取り付けられる。なお、ストリーマ放電ユニット３は、水平方向における端部を枠側部１７ｃ、１７ｄにビス留めされることにより固定される。そして、放電ユニット取付枠１７は、本体ケーシング１０の上面視において右側面パネル１５および左側面パネル１６に対して傾斜して配置される。すなわち、ストリーマ放電ユニット３は、の上面視において右側面パネル１５および左側面パネル１６に対して傾斜して配置されることになる。また、放電ユニット取付枠１７は、本体ケーシング１０内部に固定されている放電ユニット設置部材１９（後述参照）に着脱自在な状態で設置される。なお、ストリーマ放電ユニット３は、光触媒フィルタ２の空気の流れ方向上流側に配置される。
【００４７】
また、ストリーマ放電ユニット３は、図３に示すように、放電ユニットケーシング３１と、放電部３２と、を有しており、ストリーマ放電を生起させることにより、光触媒フィルタ２に供給する活性種を生成して本体ケーシング１０内部に形成される空気の流路に放出する。
【００４８】
放電ユニットケーシング３１には、放電部３２が取り付けられる。放電ユニットケーシング３１は、樹脂から形成された箱状の部材である。放電ユニットケーシング３１は、空気流路の下流側の面に活性種を放出するための放出孔３１ａが開けられている。
【００４９】
放電部３２は、ストリーマ放電を生起させる主要部であり、ストリーマ放電電極３２ａと、アース板３２ｂとを有する。
【００５０】
ストリーマ放電電極３２ａは、金属板４を切り起こした部分に取り付けられた端子で構成されており、放電電圧が印可されることによってアース板３２ｂとの間にストリーマ放電を生じさせる。
【００５１】
アース板３２ｂは、金属板から形成されており、ストリーマ放電電極３２ａの金属板４よりも大きな略長方形の外形を有する。アース板３２ｂは、ストリーマ放電電極３２ａに対して平行に配置されており、ストリーマ放電電極３２ａの近くに離れて配置されている。アース板３２ｂは、放電ユニットケーシング３１の下流側の面に接しており、放電ユニットケーシングの下流側の面の放出孔３１ａと同様の位置に放出孔３２ｃが開けられている。これにより、ストリーマ放電電極３２ａからアース板３２ｂに向けて放出されたストリーマ放電によって生成された活性種が、アース板３２ｂの放出孔３２ｃおよび放電ユニットケーシング３１の下流側の面の放出孔３１ａを通過して、本体ケーシング１０に形成される空気流路に放出されることになる。なお、これらの放出孔３１ａおよび放出孔３２ｃは、ストリーマ放電電極３２ａの先端の水平方向における位置に一致する位置に集中的に複数（本実施形態においては、ストリーマ放電電極３２ａの先端１つにつき８つの放出孔３１ａ、３２ｃ）設けられている。これにより、放電部３２から放出される活性種を、効率よく本体ケーシング１０の内部に形成される空気流路に放出することができる。
【００５２】
以上のようにして、ストリーマ放電電極３２ａから発生される活性種は、本体ケーシング１０の内部を流れる空気流に対して放出される。そして、脱臭ユニット１では、この活性種により、光触媒フィルタ２に吸着された臭気分子、塵、および埃を分解および不活化している。
【００５３】
また、ストリーマ放電ユニット３は、左側面パネル１６に対して、本体ケーシング１０の上面視において右回転方向（図４の矢印Ａ１参照）に鋭角の角度で傾斜している。なお、図４では、ストリーマ放電ユニット３は、左側面パネル１６に対しての右回転方向の矢印Ａ１を表記しているが、これに限らず右側面パネル１５に対しての右回転方向の矢印を表記しても良い。
【００５４】
さらに、直線Ｌ１（すなわち、空気流路）は、背面側パネル１４に対して、本体ケーシング１０の上面視において右回転方向（図４の矢印Ａ２参照）に鋭角の角度で傾斜している。なお、図４では、直線Ｌ１は、背面側パネル１４対しての右回転方向の矢印Ａ２を表記しているが、これに限らず正面側パネル１３に対しての右回転方向の矢印を表記しても良い。
【００５５】
このように、ストリーマ放電ユニット３の左側面パネル１６に対する傾斜の回転方向と、直線Ｌ１の背面側パネル１４に対する傾斜の回転方向とは、ともに右回転方向で一致している。したがって、ストリーマ放電ユニット３と直線Ｌ１とは、垂直に近い状態で交わることになる。このため、ストリーマ放電ユニット３は、本体ケーシング１０を通過する空気に対して、効率よく活性種を放出することができる。また、ストリーマ放電ユニット３は、左側面パネル１６に対して傾斜して設置しているために、傾斜しない場合と比べて長手方向に長くすることができる。このため、本体ケーシング１０の大きさに対する、ストリーマ放電ユニット３から放出できる活性種の数を増やすことができ、より効果的に本体ケーシング１０の内部を通過する空気を脱臭および浄化することができる。
【００５６】
（電装品ケーシング）
本体ケーシング１０の正面側パネル１３には、ストリーマ放電ユニット３に電力の供給や制御を行うための電装品が収められた電装品ケーシング１８が設けられている（図１参照）。電装品ケーシング１８には、正面側に電装品のメンテナンスが可能なメンテナンス開口１８ａが開けられており、メンテナンス開口１８ａにはメンテナンスカバー１８ｂが備えられる。電装品ケーシングは正面側パネル１３に取り付けられることになるため、本体ケーシング１０のメンテナンス開口と同じ側に電装品ケーシングのメンテナンス開口が存在することになる。したがって、メンテナンス作業者などのユーザは、本体ケーシング１０に対して正面側から、光触媒フィルタ２およびストリーマ放電ユニット３のメンテナンスや電装品のメンテナンスを行うことができる。このため、メンテナンス作業者の負担を軽減することができる。
【００５７】
＜放電ユニット取付枠の脱着＞
放電ユニット取付枠１７は、本体ケーシング１０内部の放電ユニット設置部材１９と放電ユニット設置部材１９の上下に配置されるガイド部材２１、２２に設置されている。図５は、本体ケーシング１０内部の放電ユニット設置部材１９近傍の詳細斜視図である。
【００５８】
（放電ユニット設置部材）
放電ユニット設置部材１９は、主に、天板１１に設置される上部支持部材１９ａと、底板１２に設置される下部支持部材１９ｂと、背面側パネル１４に設置される先端取付部材１９ｃと、正面側パネル１３に設置される後端取付部材１９ｄと、放電ユニット取付枠１７を係止する係止部材１９ｅとにより構成される。
【００５９】
上部支持部材１９ａおよび下部支持部材１９ｂは、本体ケーシング１０の上面視において右側面パネル１５および左側面パネル１６に対して傾斜して配置される。そして、上部支持部材１９ａは、後述する上部ガイド２１を天板１１に固定している。また、下部支持部材１９ｂは、後述する下部ガイド２２を底板１２に固定している。
【００６０】
先端取付部材１９ｃは、断面形状がＬ字状の部材であり、天板１１および底板１２に対して垂直に取り付けられる。先端取付部材１９ｃは、背面側パネル１４にＬ字状の角の部分が接して配置されている。先端取付部材１９ｃは、その二面あるＬ字状の一方の面（以下、第１面１９ｃａとする）が上部支持部材１９ａおよび下部支持部材１９ｂに固定されている。また、先端取付部材１９ｃは、先端取付部材１９ｃの二面あるＬ字状の他方の面（以下、第２面１９ｃｂとする）の第１面１９ｃａとは反対側の先端に、放電ユニット取付枠１７の枠側部１７ｃの掛止孔１７ｅを掛止するための爪部１９ｃｃを有する。これにより、放電ユニット取付枠１７の枠側部１７ｃを先端取付部材１９ｃに掛止することが可能になっている。また、先端取付部材１９ｃは、第２面１９ｃｂが第１面１９ｃａよりも右側面パネル１５側になるように配置されている。
【００６１】
後端取付部材１９ｄは、断面形状がＬ字状の部材であり、天板１１および底板１２に対して垂直に取り付けられる。後端取付部材１９ｄは、正面側パネル１３のメンテナンス開口１３ａの水平方向の中心付近に配置されている。後端取付部材１９ｄは、その二面あるＬ字状の一方の面（以下、第１面１９ｄａとする）が上部支持部材１９ａおよび下部支持部材１９ｂに固定されている。また、後端取付部材１９ｄは、後端取付部材１９ｄの二面あるＬ字状の他方の面（以下、第２面１９ｄｂとする）が正面側パネル１３に略平行になるように、かつ、第１面１９ｄａが第２面１９ｄｂよりも右側面パネル１５側になるように配置される。
【００６２】
係止部材１９ｅは、後端取付部材１９ｄの第２面１９ｄｂに固定され、断面形状がＬ字状の係止支持部材１９ｅａと、放電ユニット取付枠１７を係止する係止作用部材１９ｅｂとにより構成される。係止作用部材１９ｅｂは、係止支持部材１９ｅａに２つ配置され、係止支持部材１９ｅａに対して９０°回転可能である（図７参照）。このように係止作用部材１９ｅｂを、回転させて水平状態（図７の実線の状態）にすることにより、放電ユニット取付枠１７の枠側部１７ｄを後端取付部材１９ｄの第１面１９ｄａと係止作用部材１９ｅｂとで挟み込むことにより固定することができる。また、このときに放電ユニット取付枠１７は、先端取付部材１９ｃの第２面１９ｃｂと係止支持部材１９ｅａにより挟み込まれることにより、枠上部１７ａおよび枠下部１７ｂの長手方向に移動できないように固定されることになる。なお、図７は、図５の一点鎖線で囲んだ部分の拡大図であり、係止部材１９ｅによって放電ユニット取付枠１７を係止した状態の図である。
【００６３】
（ガイド部材）
ガイド部材２１、２２には、上部支持部材１９ａに支持される上部ガイド２１と、下部支持部材１９ｂに支持される下部ガイド２２がある。図６は、図５において面ＶＩで切った部分の概略断面図である。
【００６４】
上部ガイド２１は、断面形状がＬ字状の部材であり（図６参照）、本体ケーシング１０の上面視において右側面パネル１５および左側面パネル１６に対して傾斜して配置される。そして、上部ガイド２１は、二面あるＬ字状の一方の面（以下、第１面２１ａとする）が天板１１および底板１２に対して平行に、かつ、二面あるＬ字状の他方の面（以下、第２面２１ｂとする）が天板１１および底板１２に対して垂直に、かつ、第１面２１ａが第２面２１ｂよりも上側に、かつ、第１面２１ａが第２面２１ｂよりも右側面パネル１５側に、なるように第１面２１ａが上部支持部材１９ａにより支持され、天板１１に固定される。
【００６５】
また、下部ガイド２２も上部ガイド２１と同様に、断面形状がＬ字状の部材であり（図６参照）、本体ケーシング１０の上面視において右側面パネル１５および左側面パネル１６に対して傾斜して配置される。下部ガイド２２は、二面あるＬ字状の一方の面（以下、第１面２２ａとする）が天板１１および底板１２に対して平行に、かつ、二面あるＬ字状の他方の面（以下、第２面２２ｂとする）が天板１１および底板１２に対して垂直に、かつ、第１面２２ａが第２面２２ｂよりも下側に、第１面２２ａが第２面２２ｂよりも右側面パネル１５側に、なるように第１面２２ａが下部支持部材１９ｂに支持され、底板１２に固定される。
【００６６】
（ストリーマ放電ユニットのメンテナンス）
ストリーマ放電ユニット３をメンテナンスする際には、ストリーマ放電ユニット３が取り付けられた状態の放電ユニット取付枠１７を放電ユニット設置部材１９から取り外すことにより、本体ケーシング１０のメンテナンス開口１３ａから取り出すことが可能となっている。また、逆に、放電ユニット取付枠１７は、本体ケーシング１０のメンテナンス開口１３ａから本体ケーシング１０内部に入れることが可能となっている。以下、放電ユニット取付枠１７の着脱に関して説明するが、これについては、ストリーマ放電ユニット３が取り付けられた状態の放電ユニット取付枠１７について説明しているものとする。図８は、本体ケーシング１０の平面図であり、放電ユニット取付枠１７および光触媒フィルタ２を着脱する際の動線を表した概略図である。
【００６７】
−放電ユニット取付枠の外し方−
放電ユニット取付枠１７をメンテナンス開口１３ａから本体ケーシング１０内部から取り外す際には、メンテナンスカバー１３ｂを本体ケーシング１０から外す。
【００６８】
次に、放電ユニット取付枠１７の枠側部１７ｄを係止している係止作用部材１９ｅｂを水平状態（図７の実線の状態）から垂直状態（図７の破線の状態）に９０°回転させて、枠側部１７ｄの係止を解く。
【００６９】
そして、放電ユニット取付枠１７を、先端取付部材１９ｃの爪部１９ｃｃに掛止されている枠側部１７ｃを中心に右側面パネル１５側に回転させて、枠側部１７ｄが係止部材１９ｅよりも右側面パネル１５側になるように移動させる（図８の破線の状態を参照）。これにより、放電ユニット取付枠１７は、ガイド部材２１、２２の方向に沿って移動できるようになる。
【００７０】
最後に、放電ユニット取付枠１７を、ガイド部材２１、２２沿うように移動させることにより、メンテナンス開口１３ａから引き出す（図８の一点鎖線の状態を参照）。これにより、本体ケーシング１０の内部から放電ユニット取付枠１７を取り出すことができる。
【００７１】
−放電ユニット取付枠の設置の仕方−
メンテナンスカバー１３ｂを本体ケーシング１０から外して、メンテナンス開口１３ａが開口されている状態にする。
【００７２】
放電ユニット取付枠１７をメンテナンス開口１３ａから挿入する（図８の二点鎖線の状態を参照）。このとき放電ユニット取付枠１７の枠側部１７ｃとガイド部材２１、２２とが点Ｐ１により接するようにする。
【００７３】
放電ユニット取付枠１７の点Ｐ１で接していた部分をガイド部材２１、２２に沿って本体ケーシング１０の内部に移動させる（図８の一点鎖線の状態を参照）。このとき放電ユニット取付枠１７の枠側部１７ｃは、ガイド部材２１、２２の点Ｐ２により接している。
【００７４】
放電ユニット取付枠１７の枠側部１７ｃが先端取付部材１９ｃに接するまで移動させる（図８の破線の状態を参照）。このとき放電ユニット取付枠１７の枠側部１７ｃは、ガイド部材２１、２２の点Ｐ３により接しており、枠側部１７ｃにも受けられた掛止孔１７ｅに先端取付部材１９ｃの爪部１９ｃｃが挿入されて、先端取付部材１９ｃに掛止された状態になっている。
【００７５】
放電ユニット取付枠１７を先端取付部材１９ｃの爪部１９ｃｃに掛止されている枠側部１７ｃを中心に左側面パネル１６側に回転させて、放電ユニット取付枠１７の枠上部１７ａおよび枠下部１７ｂがガイド部材２１、２２に沿うように移動させる（図８の実線の状態を参照）。これにより、放電ユニット取付枠１７は、ガイド部材２１、２２の方向に沿って移動できないように、先端取付部材１９ｃの第２面１９ｃｂと係止支持部材１９ｅａにより挟み込まれて固定される。
【００７６】
最後に、放電ユニット取付枠１７の枠側部１７ｄを垂直状態（図７の破線の状態）蜷手いる係止作用部材１９ｅｂを水平状態（図７の実線の状態）に９０°回転させて、枠側部１７ｄを係止する。これにより、放電ユニット取付枠１７の枠側部１７ｄを後端取付部材１９ｄの第１面１９ｄａと係止作用部材１９ｅｂとで挟み込んだ状態となっており、放電ユニット取付枠１７が放電ユニット設置部材１９に固定されることになる。
【００７７】
＜特徴＞
（１）
本発明の脱臭ユニット１では、ストリーマ放電ユニット３を保持する放電ユニット取付枠１７を、ガイド部材２１、２２に沿わせるように配置した状態で、先端取付部材１９ｃと後端取付部材１９ｄとにより挟み込むことにより本体ケーシング１０内部に固定している。このときに、放電ユニット取付枠１７は、その先端である枠側部１７ｃをガイド部材２１、２２の先端側（すなわち、本体ケーシング１０の背面側パネル１４側から先端取付部材１９ｃの爪部１９ｃｃにより押さえられて掛止されており、爪部１９ｃｃを中心に回動しないように放電ユニット取付枠１７の枠側部１７ｄを後端取付部材１９ｄに配置される掛止部材１９ｅにより固定されている。このように、放電ユニット取付枠１７は、本体ケーシング１０の内部に固定されることになる。また、ガイド部材２１、２２は、本体ケーシング１０の天板１１および底板１２に沿って配置され、互いに略平行に、かつ、本体ケーシング１０の右側面パネル１５および左側面パネル１６に対して傾斜して配置される。すなわち、放電ユニット取付枠１７は、右側面パネル１５または左側面パネル１６に対して傾斜して配置される。そして、放電ユニット取付枠１７（図８の点Ｐ１〜点Ｐ３を参照）をガイド部材２１、２２に対して沿わせるように挿入することにより、放電ユニット取付枠１７をガイド部材２１、２２に沿わせるように配置することができる。
【００７８】
したがって、放電ユニット取付枠１７を、ガイド部材２１、２２にスライドさせて、その先端である枠側部１７ｃを先端取付部材１９ｃの爪部１９ｃｃまで移動させて爪部１９ｃｃに掛止させて、爪部１９ｃｃを中心に放電ユニット取付枠１７の枠側部１７ｄを後端取付部材１９ｄまで回動させて係止作用部材１９ｅｂに係止させることにより、固定することができる。また、その逆の手順により、放電ユニット取付枠１７を離脱させることができる。また、ガイド部材２１、２２は、本体ケーシング１０の右側面パネル１５および左側面パネル１６に対して傾斜して配置されているため、放電ユニット取付枠１７も本体ケーシング１０の右側面パネル１５および左側面パネル１６に対して傾斜して配置されることになる。そして、放電ユニット取付枠１７を本体ケーシング１０に配置する際には、放電ユニット取付枠１７の枠側部１７ｃが傾斜している２つのガイド部材２１、２２に対して常に接した状態で、放電ユニット取付枠１７の枠側部１７ｃを本体ケーシングの奥に挿入させると、本発明のようにガイド部材２１、２２が斜めに配置されている場合であっても、本体ケーシング１０に対して真っ直ぐ（本体ケーシング１０の右側面パネル１５および左側面パネル１６に平行）になるような方向の力を放電ユニット取付枠１７にかけるのみで放電ユニット取付枠１７を本体ケーシング１０の内部に挿入させることによりガイド部材２１、２２に沿うように放電ユニット取付枠１７を配置することができる。このため、放電ユニット取付枠１７を本体ケーシングの右側面パネル１５および左側面パネル１６に対して傾斜して配置させる場合であっても、容易に放電ユニット取付枠１７を配置させることができる。このように、放電ユニット取付枠１７を容易に配置させることができることは、天井裏に設置されるなどであって、光が十分に届かずに本体ケーシングの内部を十分に視認することが難しい状況である場合に、特に有効である。
【００７９】
（２）
本実施形態に係る脱臭ユニット１では、略直方体形状の本体ケーシング１０の向かい合わせになっている右側面パネル１５と左側面パネル１６とのそれぞれに、本体ケーシング内に気体を導入できる吸込開口１５ａと、本体ケーシング内の気体を排出できる吐出開口１６ａとが形成されている。そして、吸込開口１５ａの中心と吐出開口１６ａの中心とを結ぶ直線Ｌ１が正面パネル１３または背面パネル１４に対して傾斜するように、吸込開口１５ａと吐出開口１６ａとが配置されている。また、本体ケーシング１０の内部には、臭気分子および有害ガス成分を分解または不活化する活性種を生成するストリーマ放電ユニット３が、右側面パネル１５または左側面パネル１６に対して傾斜して配置されている。
【００８０】
したがって、本体ケーシング１０に対して傾斜した方向に空気流路を生成することができ、空気が通過する流路断面積を大きくとることができる。そして、ストリーマ放電ユニット３を、右側面パネル１５または左側面パネル１６に対して傾斜して配置することにより、大きくなった上記流路断面積に対してストリーマ放電ユニット３を気流の流路断面積に適した大きさで配置することができる。これにより、本体ケーシング１０の内部を通過する気流に対してより多くの活性種を付与することができ、より効率的に気流に含まれる臭気分子および有害ガス成分の少なくとも一つを分解または不活化させることができる。
【００８１】
さらに、ストリーマ放電ユニット３の左側面パネル１６に対する傾斜の回転方向と、直線Ｌ１の背面側パネル１４に対する傾斜の回転方向とは、ともに右回転方向で一致している。
【００８２】
したがって、ストリーマ放電ユニット３と直線Ｌ１とは、垂直に近い状態で交わることになる。このため、ストリーマ放電ユニット３は、本体ケーシング１０を通過する空気に対して、効率よく活性種を放出することができる。また、ストリーマ放電ユニット３は、左側面パネル１６に対して傾斜して設置しているために、傾斜しない場合と比べて長手方向に長くすることができる。このため、本体ケーシング１０の大きさに対する、ストリーマ放電ユニット３から放出できる活性種の数を増やすことができ、より効果的に本体ケーシング１０の内部を通過する空気を脱臭および浄化することができる。
【００８３】
（３）
本実施形態に係る脱臭ユニット１では、本体ケーシング１０に流れ込んでくる気体に含まれる臭気分子および有害ガス成分の少なくとも一つを、一旦、光触媒フィルタ２に吸着させている。そして、光触媒フィルタ２に吸着させた臭気分子および有害ガス成分に対して、ストリーマ放電ユニット３から放出される活性種をふれさせている。
【００８４】
したがって、本体ケーシング１０に流れ込んでくる気体に含まれる臭気分子および有害ガス成分に対して活性種を付与して分解または不活化させるだけでなく、光触媒フィルタ２に一旦吸着させた臭気分子および有害ガス成分に対しても活性種の効果を及ぼすことができる。このように、脱臭／集塵フィルタに臭気分子および有害ガス成分を吸着させることにより、気流に直接活性種を放出する場合よりも、活性種と臭気分子および有害ガス成分を長い間ふれさせることができる。このため、より効果的に気体に含まれる臭気分子および有害ガス成分を分解または不活化させることができる。
【００８５】
（４）
本実施形態に係る脱臭ユニット１では、ストリーマ放電ユニット３が光触媒フィルタ２に対して傾斜して配置されており、かつ、メンテナンス開口１８ａに光触媒フィルタ２の一端とストリーマ放電ユニット３の一端とが隣り合わせになるように配置されている。
【００８６】
このため、メンテナンス開口１８ａから光触媒フィルタ２およびストリーマ放電ユニット３を本体ケーシング１０内部から取り出すことが可能である。したがって、本体ケーシング１０にメンテナンス開口１８ａを１つ設けるのみで、光触媒フィルタ２およびストリーマ放電ユニット３のメンテナンスを行うことができる。これにより、光触媒フィルタ２とストリーマ放電ユニット３とにそれぞれメンテナンス開口がある場合と比べて、メンテナンスを行う負担を軽減することができる。また、本体ケーシングにかかる生産コストを抑えることができる。
【００８７】
（５）
本実施形態に係る脱臭ユニット１では、電装品ケーシング１８が本体ケーシング１０のメンテナンス開口１３ａと同じ側に配置されているため、天井裏に設置される脱臭ユニット１の電装品ケーシング１８に対するメンテナンスと光触媒フィルタ２およびストリーマ放電ユニット３に対するメンテナンスとを同時に行う必要がある場合に、同一の天井点検口からそれぞれのメンテナンスを行うことができる。したがって、メンテナンスにかかる負担を軽減することができる。
【００８８】
＜変形例>
本実施形態に係る脱臭ユニット１では、上部ガイド２１と下部ガイド２２とがともにその断面形状がＬ字状の部材で構成されているが、これに限らずに、上部ガイド２１の断面形状はＩ字状の部材であっても構わない。これは、放電ユニット取付枠１７の上端をスライドさせる機構が特に無くとも、下端および側面のみをスライドできれば、本発明のポイントである本体ケーシングに対して傾斜した状態にストリーマ放電ユニット３を容易に設置できるという効果は、言えるからである。
【産業上の利用可能性】
【００８９】
本発明によれば、寒冷地向け空気調和装置に有用である。
【図面の簡単な説明】
【００９０】
【図１】第一実施形態に係る正面側から視た脱臭ユニットの本体ケーシングの外観斜視図。
【図２】脱臭ユニットの本体ケーシング内部の外観斜視図。
【図３】ストリーマ放電ユニットの分解斜視図。
【図４】脱臭ユニットの本体ケーシング内部の平面図および空気流路。
【図５】本体ケーシング内部の放電ユニット設置部材近傍の詳細斜視図。
【図６】図５において面ＶＩで切った部分の概略断面図。
【図７】図５の一点鎖線で囲んだ部分の拡大図であって、係止部材によって放電ユニット取付枠を係止した状態の図。
【図８】本体ケーシングの平面図であって、放電ユニット取付枠および光触媒フィルタを着脱する際の動線を表した概略図である。
【符号の説明】
【００９１】
１            脱臭ユニット
２            光触媒フィルタ（脱臭／集塵フィルタ）
３            ストリーマ放電ユニット（活性種生成部）
１５          右側面パネル（面）
１５ａ        吸込開口（気体導入口）
１６          左側面パネル（面）
１６ａ        吐出開口（気体排出口）
１７ｃ        枠側部（保持部材の先端）
１７ｄ        枠側部（保持部材の後端）
１７ｅ        掛止孔（先端掛止部に押さえられた部位）
１９ｃ        先端取付部材（先端掛止部）
１９ｅｂ      係止作用部材（拘束部）
２１          上部ガイド（第１ガイド部材）
２２          下部ガイド（第１ガイド部材）
２３          上部ガイド（第２ガイド部材）
２４          下部ガイド（第２ガイド部材）
【図１】
2010137018.tif 000003
【図２】
2010137018.tif 000004
【図３】
2010137018.tif 000005
【図４】
2010137018.tif 000006
【図５】
2010137018.tif 000007
【図６】
2010137018.tif 000008
【図７】
2010137018.tif 000009
【図８】
2010137018.tif 000010